(57)【要約】【課題】フィルム巻取り装置によるフィルムの巻取り動作の影響を受けることなく、スキャンゲートを介してフィルムに記録された画像などの読取が確実且つ容易に行なえるようにする画像読取装置におけるフィルム搬送機構を提供する。【解決手段】フィルムの搬送路の途中にスキャンゲートが開口し、搬送路には、フィルムを搬送するための搬送ローラ対が設けられ、搬送路におけるスキャンゲートよりも下流側には、フィルム巻取り装置が設けられ、前記搬送ローラ対により搬送路に沿って搬送されるフィルムの画像をスキャンゲートを介して読み取ると共に、フィルムの先端側をフィルム巻取り装置に巻き取るようにした画像読取装置におけるフィルム搬送機構であって、搬送路におけるスキャンゲートとフィルム巻取り装置との間には、搬出側搬送ローラ対が設けられ、搬出側搬送ローラ対は、フィルム巻取り装置の巻取り張力を上回る搬送力となるニップ圧に設定された。【選択図】  図３
2004262567.tif 000002
【特許請求の範囲】
【請求項１】
フィルムの搬送路の途中にライン状に延びるスキャンゲートが開口し、前記搬送路には、フィルムを搬送するための搬送ローラ対が設けられ、前記搬送路における前記スキャンゲートよりも下流側には、フィルム巻取り装置が設けられ、前記搬送ローラ対により搬送路に沿って搬送されるフィルムの画像をスキャンゲートを介して読み取ると共に、フィルムの先端側を前記フィルム巻取り装置に巻き取るようにした画像読取装置におけるフィルム搬送機構であって、
搬送路におけるスキャンゲートとフィルム巻取り装置との間には、搬出側搬送ローラ対が設けられ、搬出側搬送ローラ対は、フィルム巻取り装置の巻取り張力を上回る搬送力となるニップ圧に設定されていることを特徴とするフィルム画像読取装置におけるフィルム搬送機構。
【請求項２】
フィルムを搬送するための前記搬送ローラ対は、スキャンゲートを挟んでその上流側及び下流側に設けられる上流側搬送ローラ対と下流側搬送ローラ対とが備えられ、前記搬出側搬送ローラ対は、前記下流側搬送ローラー対とフィルム巻取り装置との間に配設されていることを特徴とする請求項１に記載のフィルム画像読取装置におけるフィルム搬送機構。
【発明の詳細な説明】
【０００１】
【発明の属する技術分野】
本発明は、現像処理済みのフィルムに記録されている画像などの各種情報を読み取るための画像読み取り装置におけるフィルム搬送機構に関する。
【０００２】
【従来の技術】
一般にフイルムの画像を読み取るための画像読取装置には、フィルム搬送機構が組み込まれたフィルムキャリアユニットが搭載されており、フィルキャリアユニットに組み込まれるフィルム搬送機構は、フィルムの搬送路と、この搬送路の途中に開口するライン状に延びるスキャンゲートと、搬送路に沿ってフィルムを搬送させるための搬送装置とが備えられている。
【０００３】
搬送装置は、搬送路におけるスキャンゲートの上流側及び下流側に設けられた上流側搬送ローラ対及び下流側搬送ローラ対と、搬送路の終端に設けられるフィルム巻取り装置とが備えられ、搬送路に沿って搬送されるフィルムを、スキャンゲートの前後で、前述の上流側搬送ローラ対及び下流側搬送ローラ対を介して搬送しながら、フィルムに記録されている画像をスキャンゲートを介して露光して、前記画像を読み取ると共に、フィルムの先端側をフィルム巻取り装置の巻取りドラムに順次巻き取るようにしている。（特許文献１参照）
【０００４】
【特許文献１】
特開２００１−６９２８７号
【０００５】
【発明が解決しようとする課題】
ところで、以上のフィルム搬送機構では、スキャニング作業時、前記したように、フィルムの先端側が、モーターを介して回転するフィルム巻取り装置の巻取りドラムに順次巻き取られのであるが、この巻取りドラムへのフィルムの巻取りによって、巻取りドラムの径が大きくなるに伴い、巻取りドラムの巻取り張力が次第に大きくなって、フィルムが巻取りドラム側に強く引っ張られ、スキャンゲートを介して読み取られるプレスキャン画像と本スキャン画像の切り出し位置がずれたり、あるいは読み取られた画像が縮むなどの不具合が生じる。
【０００６】
特に前述のフィルムキャリアユニットに組み込まれているフィルムの搬送機構にあっては、スキャンゲートの前後に配設される上流側搬送ローラ対及び下流側搬送ローラ対のニップ圧を強くすると、これら搬送ローラ対へのフィルムの突入時の衝撃が大きくなり、これに伴い画像の読取に支障をきたして、読み取った画像の画質が低下するなどの不具合が生じるので、従来の装置では、スキャンゲートの前後に配設される上流側搬送ローラ対及び下流側搬送ローラ対のニップ圧は低く設定されている。そのため従来の画像読取装置では、前述の不具合の発生が大きくなる。
【０００７】
本発明は以上の実情に鑑みて開発したものであって、目的とするところは、フィルム巻取り装置によるフィルムの巻取り動作の影響を受けることなく、スキャンゲートを介してフィルムに記録された画像などの読取が確実且つ容易に行なえるようにする画像読取装置におけるフィルム搬送機構を提供するにある。
【０００８】
【課題を解決するための手段】
前述の目的を達成するため、請求項１に記載の発明は、フィルムの搬送路の途中にライン状に延びるスキャンゲートが開口し、前記搬送路には、フィルムを搬送するための搬送ローラ対が設けられ、前記搬送路における前記スキャンゲートよりも下流側には、フィルム巻取り装置が設けられ、前記搬送ローラ対により搬送路に沿って搬送されるフィルムの画像をスキャンゲートを介して読み取ると共に、フィルムの先端側を前記フィルム巻取り装置に巻き取るようにした画像読取装置のフィルム搬送機構において、搬送路におけるスキャンゲートとフィルム巻取り装置との間には、搬出側搬送ローラ対が設けられ、搬出側搬送ローラ対は、フィルム巻取り装置の巻取り張力を上回る搬送力となるニップ圧に設定されていることを特徴とするものである。
【０００９】
請求項２に記載の発明は、請求項１に記載のフィルム画像読取装置におけるフィルム搬送機構において、フィルムを搬送するための前記搬送ローラ対は、スキャンゲートを挟んでその上流側及び下流側に設けられる上流側搬送ローラ対と下流側搬送ローラ対とが備えられ、前記搬出側搬送ローラ対は、前記下流側搬送ローラー対とフィルム巻取り装置との間に配設されていることを特徴とするものである。
【００１０】
【発明の実施の形態】
図１は、フィルム画像読取装置２が搭載された画像処理装置１を概略的に示したものである。
【００１１】
この画像処理装置１は、フィルム画像読取装置２などで読み取った画像データに主として各種の画像処理を施すためのものであって、この画像処理装置１には、画像処理ソフトウエア等がインストールされたコンピュータから成るコントローラ１１と、コントローラ１１に各種情報を入力するためのキーボード１２ａ及びマウス１２ｂと、各種情報を表示するためのモニター１３と、ＭＯなどの各種記録メディアに記録された画像データを読み取るための記録メディア読取装置１４が搭載されている。
【００１２】
以上の画像処理装置１は、フィルム画像読取装置２若しくは記録メディア読取装置１４により読み取られた画像データを、所定の画像処理プログラムとキーボード１２ａまたはマウス１２ｂにより入力されるプリントサイズなどの各種情報に基づいて、コントローラ１１により適宜処理した後、順次プリントデータとしてプリンター（図示せず）側に出力するようにしている。
【００１３】
画像読取装置２は、図２にも示すように、後記するフィルムキャリアユニット３と、このフィルムキャリアユニット３にセットされたフィルムを照射するためのランプ装置２１と、フィルムを透過したランプ装置２１からの光が入射するレンズユニット２２と、レンズユニット２２を通過した光を電気的信号に変換するＣｈａｒｇｅ  Ｃｏｕｐｌｅｄ  Ｄｅｖｉｃｅ  ユニット２３（以下、ＣＣＤユニットと云う）とが備えられている。
【００１４】
尚、画像読取装置２を構成するランプ装置２１とレンズユニット２２とＣＣＤユニット２３は、フィルムキャリアユニット３に対して移動可能となっており、処理するフィルムの種類に対応してその位置を変更するようにしている。
【００１５】
フィルムキャリアユニット３は、図４にも示すように、ユニット本体３０と、このユニット本体３０に対して折り畳み可能に枢支されて、ユニット本体３０の上面を覆うユニット分割体３１とにより上下二分割された構造となっており、このフィルムキャリアユニット３には、図４にも示すように、１３５フィルムとＡＰＳフィルムとにそれぞれ対応したフィルムの搬送路４０ａ・４０ｂを備えた搬送機構４ａ・４ｂが搭載されている。
フィルム搬送路４０ａ・４０ｂは、ユニット本体３０の上面とユニット分割体３１の下面との間にトンネル状に形成されており、これらフィルム搬送路４０ａ・４０ｂの途中には、光源からの光を通過させるライン状のスリットからなるスキャニングゲート４１ａ・４１ｂが形成されている。
【００１６】
実施形態では、本発明の搬送機構を、前述の１３５フィルムに対応するフィルムの搬送機構４ａに適用しているのであって、次に１３５フィルムに対応するフィルムの搬送機構４ａの構造を詳説する。
【００１７】
１３５フィルムに対応する搬送機構４ａは、前述の搬送路４０ａと、この搬送路４０ａに沿ってフィルムを搬送させるための搬送装置５とが備えられている。
【００１８】
トンネル状に形成された搬送路４０ａの始端にはフィルム挿入口４２が開口し、この搬送路４０ａの終端にはフィルム搬出口４３が開口している。
【００１９】
搬送装置５は、搬送路４０ａにおけるスキャンゲート４１ａの上流側に設けられた上流側搬送ローラ対５１と、搬送路４０ａにおけるスキャンゲート４１ａの下流側に設けられた下流側搬送ローラ対５２に加えて、搬送路４０ａにおける上流側搬送ローラ対５１よりも更に上流側に設けられて、フィルムを上流側搬送ローラ対５１に送り込むための入口側搬送ローラ対５３と、搬送路４０ａにおける下流側搬送ローラ対５２よりも更に下流側に設けられる搬出側搬送ローラ対５４と、フィルム搬出口４３に組み付けられたフィルム巻取り装置５５とが備えられている。
【００２０】
フィルム巻取り装置５５は、モーター駆動によりフィルムを巻き取るための巻取りドラム５６が備えられ、搬送路４０ａを介してフィルム搬出口４３から搬出されるフィルムを巻取りドラム５６に順次巻き取るようにしている。
【００２１】
また図に示す実施形態では、各搬送ローラ対５１〜５４を構成する一方の駆動ローラ５１ａ・５２ａ・５３ａ・５４ａがユニット本体３０側に取り付けられ、他方の従動ローラ５１ｂ・５２ｂ・５３ｂ・５４ｂがユニット分割体３１側に取り付けられているのであって、駆動ローラ５１ａ・５２ａ・５３ａ・５４ａは駆動装置（図示せず）を介して同一の回転速度で駆動されるようにしている。
【００２２】
また上流側搬送ローラ対５１のニップ圧と下流側搬送ローラ対５２のニップ圧は同一に設定され、入口側搬送ローラ対５３のニップ圧は上流側搬送ローラ対５１のニップ圧よりも高く設定され、また搬出側搬送ローラ対５４のニップ圧は下流側搬送ローラ対５２のニップ圧よりも高く設定されている。
【００２３】
具体的には、上流側搬送ローラ対５１及び下流側搬送ローラ対５２は、従動ローラ５１ｂ・５２ｂのローラ面が駆動ローラ５１ａ・５２ａのローラ面に対して僅かに隙間（具体的にはフィルムの厚さよりも薄い間隔）を開けて対向しているのに対して、入口側搬送ローラ対５３及び搬出側搬送ローラ対５４を構成する従動ローラ５３ｂ・５４ｂのローラ面を駆動ローラ５３ａ・５４ａのローラ面に圧接させて、入口側搬送ローラ対５３及び搬出側搬送ローラ対５４のニップ圧を上流側搬送ローラ対５１及び下流側搬送ローラ対５２のニップ圧よりも高く設定している。
【００２４】
また実施形態では、搬出側搬送ローラ対５４は、フィルム巻取り装置５５を構成する巻取りドラム５６の巻取り張力を上回る搬送力となるニップ圧に設定している。
【００２５】
さらに搬送路４０ａにおけるフィルム挿入口４２からスキャンゲート４１ａの中心までの距離Ａは、１３５フィルムの一駒分の長さ（３８ｍｍ）以上とするのであって、実施形態では、７４．８ｍｍに設定されている。
【００２６】
上流側搬送ローラ対５１の回転中心と下流側搬送ローラ対５２の回転中心との間隔Ｂは、一駒画像にカットされるフィルムの長さ（３８ｍｍ）未満とするのであって、実施形態では、スキャンゲート４１ａの中心から上流側搬送ローラ対５１の回転中心までの距離及びにスキャンゲート４１ａの中心から下流側搬送ローラ対５２の回転中心までの距離がそれぞれ１６ｍｍに設定され、上流側搬送ローラ対５１の回転中心と下流側搬送ローラ対５２の回転中心との間隔Ｂは３２ｍｍに設定されている。
【００２７】
スキャンゲート４１ａの中心から搬出側搬送ローラ対５４の回転中心までの距離Ｃは、一駒画像にカットされるフィルムの長さ（３８ｍｍ）以上とするのであって、実施形態では、５７ｍｍに設定されている。
【００２８】
入口側搬送ローラ対５３の回転中心から上流側搬送ローラ対５１の回転中心までの距離Ｄは、一駒画像にカットされるフィルムの長さ（３８ｍｍ）以下とするのであって、実施形態では、その距離Ｄが３２．８ｍｍに設定されている。
【００２９】
上流側搬送ローラ対５１の回転中心から搬出側搬送ローラ対５４の回転中心までの距離は、７６ｍｍ以下とするのであって、実施形態では、７３ｍｍに設定され、更に下流側搬送ローラ対５２の回転中心から搬出側搬送ローラ対５４の回転中心までの距離Ｆは、４１ｍｍに設定されている。
【００３０】
以上の構造の搬送機構４ａを搭載した画像読取装置２により、長尺の１３５フィルムをスキャニングするには、フィルムの先端をフィルム挿入口４２に挿入して、搬送装置５により搬送路４０ａに沿って搬送させるのであって、フィルムに記録された各駒画像がスキャニングゲート４１ａを通過するに伴い、各駒画像がスキャンゲート４１ａを介して読み取られて、先ずプレスキャンが行なわれると共に、その先端側がフィルム巻取り装置５５の巻取りドラム５６に順次巻き取られるのである。
【００３１】
そしてプレスキャンが終了した段階で、フィルムが搬送装置５により逆方向に搬送されて、再度スキャンゲート４１ａを介して読み取られて、本スキャンが行なわれるのである。
【００３２】
ところで、前述のプレスキャン時において、フィルム巻取り装置５５の巻取りドラム５６にフィルムが巻き取られて、その径が大きくなるに伴い、巻取りドラム５６の巻取り張力が次第に大きくなり、フィルムが巻取りドラム５６側に引っ張られる。
【００３３】
そしてこの時、搬出側搬送ローラ対５４が設けられていない場合には、読み取られるプレスキャン画像と本スキャン画像の切り出し位置がずれたり、あるいは読み取られた画像が縮むなどの不具合が生じる。
【００３４】
しかしながら、実施形態では、フィルム巻取り装置５５の上流側に搬出側搬送ローラ対５４が設けられ、このローラ対５４が、フィルム巻取り装置５５を構成する巻取りドラム５６の巻取り張力を上回る搬送力となるニップ圧に設定されていることから、たとえ、フィルムが巻取りドラム５６側に引っ張られても、その上流側に位置する搬出側搬送ローラ対５４の作用により、スキャンゲート４１ａ側では、フィルムは巻取りドラムの張力の影響を受けることがなく、従って読み取り画像の品質が安定するのである。
【００３５】
一方、一駒にカットされた短いフィルムをスキャニングする場合には、同じくその短いフィルムをフィルム挿入口４２に挿入して、その先端部を入口側搬送ローラ対５３に挟持させると、フィルムは、入口側搬送ローラ対５３で搬送されて、その先端が上流側搬送ローラ対５１に挟持された後に、その後端が入口側搬送ローラ対５３から離脱し、続いてスキャンゲート４１ａを介してプレスキャンが開始されるのである。
【００３６】
そして更にフィルムの先端が下流側搬送ローラ対５２に挟持されて所定ストローク下流側に送られた後、プレスキャンが終了するのである。
【００３７】
この段階では、その先端は、搬出側搬送ローラ対５４には挟持されていないのであって、かかる状態からフィルムは下流側搬送ローラ対５２により逆方向に搬送されながら、本スキャンが開始され、続いてフィルムの後端が上流側搬送ローラ対５１に挟持されて、本スキャンが終了した段階で、フィルムの後端が入口側搬送ローラ対５３に挟持されて、この入口側搬送ローラ対５３を介してフィルムがフィルム挿入口４２に向けて搬送され、フィルムの後端部がフィルム挿入口４２から外部に突出した段階で搬送が終了するのである。
【００３８】
ところで、以上のごとく一駒に切断されたフィルムのスキャン時において、搬送路４０ａがトンネル状に形成されているので、短いフィルムをフィルム挿入口４２に挿入して搬送を開始した後は、フィルムに手を触れることができず、しかもプレスキャン若しくは本スキャンが行なわれている段階では、フィルムがニップ圧の高い搬出側搬送ローラ対５４若しくは入口側搬送ローラ対５３に送り込まれることがないので、全体として、フィルムが安定して搬送され、画像の読取が正確に行なえるのである。
【００３９】
以上の実施形態では、本発明にかかる搬送機構を１３５フィルムの搬送機構４ａに適用したが、これに限定されるものではなく、その他の種類のフィルムの搬送機構に適用してもよい。
【００４０】
また以上の実施形態では、プレスキャンを行なった後、本スキャンを行なうようにしたフィルム画像読取装置に本発明を適用したが、これに限定されるものではなく、本スキャンのみを行なうようにしたフィルム画像読取装置に本発明を適用してもよい。
【００４１】
【発明の効果】
以上説明したように、請求項１に記載の発明によれば、フィルムの搬送路の途中にライン状に延びるスキャンゲートが開口し、前記搬送路には、フィルムを搬送するための搬送ローラ対が設けられ、前記搬送路における前記スキャンゲートよりも下流側には、フィルム巻取り装置が設けられ、前記搬送ローラ対により搬送路に沿って搬送されるフィルムの画像をスキャンゲートを介して読み取ると共に、フィルムの先端側を前記フィルム巻取り装置に巻き取るようにした画像読取装置のフィルム搬送機構において、搬送路におけるスキャンゲートとフィルム巻取り装置との間には、搬出側搬送ローラ対が設けられ、搬出側搬送ローラ対は、フィルム巻取り装置の巻取り張力を上回る搬送力となるニップ圧に設定されたことにより、画像の読取作業時、フィルム巻取り装置へのフィルムの巻き取りにより、フィルム巻取り装置の巻取り張力が次第に大きくなって、フィルムが巻取りドラム側に引っ張られても、フィルム巻取り装置の上流側に位置する搬出側搬送ローラ対の作用により、スキャンゲート側では、フィルムは巻取り装置の張力の影響を受けることがなく、従って読み取り画像の品質が安定して、読み取られた画像が縮むなどの不具合が解消されるし、読み取られるプレスキャン画像と本スキャン画像の切り出し位置の精度も向上するに至ったのである。
【００４２】
以上、要するに、請求項１に記載の発明によれば、フィルム巻取り装置によるフィルムの巻取り動作の影響を受けることなく、スキャンゲートを介してフィルムに記録された画像などの読取が正確且つ安定的に行なえるのである。
【００４３】
また請求項２に記載の発明によれば、請求項１に記載のフィルム画像読取装置におけるフィルム搬送機構において、フィルムを搬送するための前記搬送ローラ対として、スキャンゲートを挟んでその上流側及び下流側に設けられる上流側搬送ローラ対と下流側搬送ローラ対とを備え、前記搬出側搬送ローラ対を、前記下流側搬送ローラー対とフィルム巻取り装置との間に配設したことにより、請求項１に記載の発明の効果に加え、スキャンゲートを介してフィルムの画像の読み取りが、より一層安定的に行なうことが出来るに至ったのである。
【図面の簡単な説明】
【図１】フィルム搬送機構を備えたフィルム画像読み取り装置が搭載された画像処理装置の説明図。
【図２】フィルム画像読み取り装置の概略説明図。
【図３】フィルム搬送機構を備えたフィルムキャリアユニットの断面図。
【図４】フィルムキャリアユニットの展開斜視図。
【図５】本発明にかかる搬送機構の概略説明図。
【符号の説明】
１      画像処理装置
２      画像読取装置
３      フィルムキャリアユニット
４ａ    搬送機構
４０ａ  搬送路
４１ａ  スキャンゲート
４３    フィルム搬出口
５      搬送装置
５１    上流側搬送ローラ対
５２    下流側搬送ローラ対
５３    入口側搬送ローラ対
５４    搬出側搬送ローラ対
５５    フィルム巻取り装置
５６    フィルム巻取りドラム
Ｆ      フィルム
【図１】
2004262567.tif 000003
【図２】
2004262567.tif 000004
【図３】
2004262567.tif 000005
【図４】
2004262567.tif 000006
【図５】
2004262567.tif 000007